(57)【要約】【課題】挿入損失を小さくして、更なる高速伝送を可能とする。【解決手段】コンタクト１２は、コンタクト２２と接触する接触位置の周辺において前記コンタクト２２との間の距離が小さくなるよう、前記接触位置の付近において前記コンタクト２２の形状に沿った形状を有する。前記コンタクト１２は、前記接触位置の付近において前記コンタクト２２から離れる方向に凹んでいてもよい。前記コンタクト１２は、前記接触位置よりも先端側の部分や根元側の部分が前記コンタクト２２に近づく方向に曲がっていてもよい。前記コンタクト１２は、複数の位置で前記コンタクト２２と接触してもよい。【選択図】図１０
2020198234.tif 000002
【特許請求の範囲】
【請求項１】
コンタクトを備えたコネクタにおいて、
前記コンタクトと接触する位置の付近において前記コンタクトに近づく方向に膨らんだ第二のコンタクトを有する第二のコネクタに接続され、前記コンタクトが前記第二のコンタクトに電気接続するよう構成され、
前記コンタクトは、
前記第二のコンタクトと接触する接触位置の周辺において前記第二のコンタクトとの間の距離が小さくなるよう、前記接触位置の付近において前記第二のコンタクトの形状に沿った形状を有する、
コネクタ。
【請求項２】
請求項１のコネクタにおいて、
前記コンタクトは、前記接触位置の付近において前記第二のコンタクトから離れる方向に凹んでいる、
コネクタ。
【請求項３】
請求項１又は２のコネクタにおいて、
前記コンタクトは、前記接触位置よりも先端側の部分が前記第二のコンタクトに近づく方向に曲がっている、
コネクタ。
【請求項４】
請求項１乃至３いずれかのコネクタにおいて、
前記コンタクトは、前記接触位置よりも根元側の部分が前記第二のコンタクトに近づく方向に曲がっている、
コネクタ。
【請求項５】
請求項１乃至４いずれかのコネクタにおいて、
前記コンタクトは、複数の位置で前記第二のコンタクトと接触する、
コネクタ。
【発明の詳細な説明】
【技術分野】
【０００１】
本発明は、電気コネクタに関する。
【背景技術】
【０００２】
特許文献１には、高密度実装基板を挿入するカードコネクタ装置が記載されている。
特許文献２には、タブレット型コンピュータなどの第１のユニットと、キーボードなどを有する第２のユニットとを備える電子機器が記載されている。第１のユニットと第２のユニットとは、着脱可能であり、第１のユニットが第２のユニットに装着された状態において、ノート型パソコンとして機能する。
【先行技術文献】
【特許文献】
【０００３】
【特許文献１】特開平５−２５９６８４号公報
【特許文献２】特開２０１７−１２３１００号公報
【発明の概要】
【発明が解決しようとする課題】
【０００４】
先行技術にかかるコネクタは、挿入損失が小さく、高速伝送が可能なものである。
しかし、近年、コンピュータのデータ処理能力の増大や通信速度の向上が著しく、更なる高速伝送が可能なコネクタが望まれる。
本発明は、例えば上記のような課題を解決し、挿入損失を小さくして、更なる高速伝送が可能な電気コネクタを提供することを目的とする。
【課題を解決するための手段】
【０００５】
本コネクタは、コンタクトを備え、前記コンタクトと接触する位置の付近において前記コンタクトに近づく方向に膨らんだ第二のコンタクトを有する第二のコネクタに接続され、前記コンタクトが前記第二のコンタクトに電気接続するよう構成されている。前記コンタクトは、前記第二のコンタクトと接触する接触位置の周辺において前記第二のコンタクトとの間の距離が小さくなるよう、前記接触位置の付近において前記第二のコンタクトの形状に沿った形状を有する。
前記コンタクトは、前記接触位置の付近において前記第二のコンタクトから離れる方向に凹んでいてもよい。
前記コンタクトは、前記接触位置よりも先端側の部分が前記第二のコンタクトに近づく方向に曲がっていてもよい。
前記コンタクトは、複数の位置で前記第二のコンタクトと接触してもよい。
【発明の効果】
【０００６】
本コネクタは、前記第二のコンタクトと接触する接触位置の周辺において前記第二のコンタクトとの間の距離が小さくなるよう、前記接触位置の付近において前記第二のコンタクトの形状に沿った形状を有するので、
【図面の簡単な説明】
【０００７】
【図１】例示的なコネクタ１０を示す底面図。
【図２】例示的なコネクタ２０の例を示す平面図。
【図３】例示的な絶縁体１１を線ＩＩＩ−ＩＩＩに沿って切った拡大断面図。
【図４】前記絶縁体１１を示す拡大底面図。
【図５】例示的なコンタクト１２を示す拡大側面図。
【図６】前記コンタクト１２を示す拡大底面図。
【図７】例示的な絶縁体２１を示す拡大平面図。
【図８】前記絶縁体２１を線ＶＩＩＩ−ＶＩＩＩに沿って切った拡大断面図。
【図９】例示的なコンタクト２２を示す拡大側面図。
【図１０】前記コネクタ１０と前記コネクタ２０とが接続した状態を示す拡大断面図。
【図１１】比較例のコネクタ１０Ｚを示す拡大断面図。
【図１２】挿入損失の一例を示すグラフ。
【図１３】コンタクト１２の変形例を示す拡大断面図。
【図１４】コンタクト１２の変形例を示す拡大断面図。
【図１５】コンタクト１２の変形例を示す拡大断面図。
【図１６】コンタクト１２の変形例を示す拡大断面図。
【図１７】例示的なコネクタ３０を示す拡大断面図。
【図１８】例示的なコネクタ４０を示す拡大断面図。
【図１９】前記コネクタ３０と前記コネクタ４０とが接続した状態を示す拡大断面図。
【図２０】コンタクト３２ａ，３２ｂの変形例を示す拡大断面図。
【図２１】コンタクト３２ａ，３２ｂの変形例を示す拡大断面図。
【図２２】コンタクト３２ａ，３２ｂの変形例を示す拡大断面図。
【発明を実施するための形態】
【０００８】
・実施形態１
図１を参照すると、コネクタ１０は、以下を有する。
＜絶縁体１１＞略長方形板状である。
＜複数のコンタクト１２＞導電材料で形成され、Ｌ−Ｒ方向に所定の間隔で並べて配列され、前記絶縁体１１に固定されている。
【０００９】
図２を参照すると、コネクタ２０は、以下を有する。
＜絶縁体２１＞略長方形板状である。
＜複数のコンタクト２２＞導電材料で形成され、Ｌ−Ｒ方向に所定の間隔で並べて配列され、前記絶縁体２１に固定されている。
＜パッキン２３＞前記コネクタ２０が前記コネクタ１０と接続されたとき、前記絶縁体１１及び２１の間の隙間を塞ぐ。
【００１０】
前記コネクタ１０及び２０を接続すると、前記コンタクト１２及び２２が互いに接触して導通し、電気信号を伝送する。図示していないが、前記コネクタ１０及び２０は、前記コンタクト１２及び２２が正しく接触した状態を維持するための係合部を有する。
【００１１】
図３及び４を参照すると、前記絶縁体１１は、以下を有する。
＜溝部１１１＞前記絶縁体１１のＤ側の表面１１９からＵ方向へ向けて凹設され、ほぼ一定の深さＤ１を有する。Ｆ−Ｂ方向に沿って長さＬ１にわたって真っ直ぐに延び、ほぼ一定の幅Ｗ１を有する。前記表面１１９には、Ｌ−Ｒ方向に延びる細長い凹部１１４が形成されている。前記溝部１１１の底面は、前記凹部１１４の形状に沿って、Ｕ方向に凹んでいる。
＜封止材収容部１１３＞前記絶縁体１１のＵ側の表面２１８からＤ方向へ向けて凹設されている。
＜貫通穴１１２＞前記絶縁体１１をＵ−Ｄ方向に沿って貫通している。Ｄ側は、前記溝部１１１のＢ側の端に接続している。Ｕ側は、前記封止材収容部１１３のなかに開口している。
【００１２】
図５及び６を参照すると、前記コンタクト１２は、折り曲げられた長尺板状であり、以下を有する。
＜接触部１２２＞前記コンタクト１２の先端１２１からＢ方向に延び、前記コネクタ２０の前記コンタクト２２と接触する。幅Ｗ２は、前記溝部１１１の幅Ｗ１よりもわずかに狭い。Ｆ−Ｂ方向に沿った長さＬ２は、前記溝部１１１の長さＬ１よりもわずかに短い。厚さＴ２は、前記溝部１１１の深さＤ１よりも厚い。Ｆ−Ｂ方向における中間部分には、前記凹部１１４に対応して、湾曲してＵ方向に膨らんだ湾曲部１２６が設けられている。
＜屈曲部１２３＞前記接触部１２２のＢ側の端に位置し、略直角に屈曲している。
＜貫通部１２４＞前記屈曲部１２３からＵ方向に真っ直ぐに延びている。
＜接続部１２５＞前記貫通部１２４のＵ側の端から更にＵ方向に真っ直ぐに延び、プリント配線板などにはんだ付けなどの固定手段によって固定され、電気接続される。
【００１３】
図７及び８を参照すると、前記絶縁体２１は、以下を有する。
＜パッキン収容部２１４＞前記絶縁体２１のＵ側の表面２１９からＤ方向へ向けて凹設され、前記パッキン２３を収容する（図１０参照）。
＜コンタクト収容部２１１＞前記パッキン収容部２１４の底面から更にＤ方向へ向けて凹設されている。
＜枠部２１５＞前記コンタクト収容部２１１の入口をＬ・Ｂ・Ｒ側の３方向から囲むよう、前記パッキン収容部２１４からＵ方向に向けて突設され、前記パッキン２３と係合して、位置決めする。
＜封止材収容部２１３＞前記絶縁体２１のＤ側の表面２１８からＵ方向へ向けて凹設されている。
＜貫通穴２１２＞前記絶縁体２１をＵ−Ｄ方向に沿って貫通している。Ｕ側は、前記コンタクト収容部２１１のなかに開口し、Ｄ側は、前記封止材収容部２１３のなかに開口している。
【００１４】
図９を参照すると、前記コンタクト２２は、板ばねなど変形に対して復元力を発揮する材料で形成され、以下を有する。
＜接続部２２８＞前記コンタクト２２のＤ側の端に位置する。はんだ付けなどの固定手段によって、プリント配線板などに固定され、電気接続される。
＜貫通部２２７＞前記接続部２２８からＵ方向へ向けて延びている。
＜屈曲部２２６＞前記貫通部２２７のＵ側の端に位置し、略直角に屈曲している。
＜支持部２２５＞前記屈曲部２２６からＦ方向へ向けて延びている。
＜湾曲部２２４＞前記支持部２２５のＦ側の端から、Ｕ方向に中心を有する円弧を描いて、約１６０度ほど湾曲して延びている。
＜延伸部２２３＞前記湾曲部２２４のＵ側の端から、Ｕ方向寄りの斜めＢ方向へ向けて延び、途中で屈曲して、Ｂ方向寄りの斜めＵ方向へ向けて延びている。
＜接触部２２２＞前記延伸部２２３のＵ側の端から、Ｂ方向に中心を有する円弧を描いて、約１４０度ほど湾曲して延びている。前記コンタクト１２の前記接触部１２２と接触する。前記接触部１２２と接触する接触面は、Ｆ−Ｂ方向だけでなく、Ｌ−Ｒ方向にも湾曲して、略球面をなしている。
＜先端２２１＞前記接触部２２２のＢ側の端から、Ｂ方向寄りの斜めＤ方向へ向けて延びている。
【００１５】
図１０を参照すると、前記コンタクト１２は、前記絶縁体１１に、Ｄ側からＵ方向へ向けて挿嵌されて固定されている。前記貫通部１２４は、前記貫通穴１１２を貫通し、前記接続部１２５は、前記絶縁体１１のＵ側に突出している。前記封止材収容部１１３には、封止材１４が充填され、前記絶縁体１１と前記コンタクト１２との間の隙間を塞いでいる。
前記接触部１２２は、前記溝部１１１に収容されている。
【００１６】
前記パッキン２３は、前記絶縁体２１の前記パッキン収容部２１４に取り付けられ、前記枠部２１５に係合している。
前記コンタクト２２は、前記絶縁体２１に、Ｕ側からＤ方向へ向けて挿嵌されて固定されている。前記貫通部２２７は、前記貫通穴２１２を貫通し、前記接続部２２８は、前記絶縁体２１のＤ側に突出している。前記封止材収容部２１３には、封止材２４が充填され、前記絶縁体２１と前記コンタクト２２との間の隙間を塞いでいる。
【００１７】
前記コネクタ１０及び２０が接続されていない状態において、前記接触部２２２は、前記パッキン２３のＵ側の端よりもＵ側に突出している。
前記コネクタ１０を前記コネクタ２０に接続するには、前記コネクタ１０をＵ方向から前記コネクタ２０に接近させ、前記コンタクト１２を前記コンタクト２２に接触させる。前記コネクタ１０及び２０が接続されると、前記接触部１２２が前記接触部２２２に接触して、前記接触部２２２をＤ方向へ向けて押し、主に前記湾曲部２２４が変形する。これにより、前記接触部２２２をＵ方向へ押し戻す復元力が発揮され、前記接触部１２２が前記接触部２２２に確実に接触して電気接続される。前記湾曲部１２６は、ちょうど前記接触部２２２が前記接触部１２２に接触する位置の周辺に設けられている。なお、前記湾曲部１２６の曲率は、前記接触部２２２よりも小さい。したがって、前記接触部２２２は、前記湾曲部１２６のなかの一点で前記接触部１２２に接触する。
【００１８】
図１１を参照すると、比較例のコネクタ１０Ｚは、絶縁体１１Ｚと、コンタクト１２Ｚとを備える。前記コンタクト１２Ｚは、前記コンタクト１２とは形状がやや異なり、接触部１２２Ｚに、前記コンタクト１２の前記湾曲部１２６に相当する部分がなく、Ｆ−Ｂ方向に真っ直ぐに延びている。前記絶縁体１１Ｚは、これに対応して、絶縁体１１Ｚに前記凹部１１４に相当する部分がなく、Ｄ側の表面が平らである。
【００１９】
図１２を参照すると、横軸が周波数、縦軸が挿入損失を示すグラフが描かれている。
曲線５０Ｚは、前記コネクタ１０Ｚの挿入損失を示す。損失が非常に大きくなる谷が１３ＧＨｚ（ギガヘルツ）付近に存在することがわかる。したがって、前記コネクタ１０Ｚは、せいぜい１２Ｇｂｐｓ（ギガビット毎秒）以下の信号しか伝送できない。
曲線５０Ａは、前記コネクタ１０の挿入損失を示す。損失が大きくなる谷の位置が、１５ＧＨｚ付近に移動していることがわかる。したがって、前記コネクタ１０は、例えば１４Ｇｂｐｓなど、前記コネクタ１０Ｚよりも高いビットレートの信号を伝送できる。
【００２０】
このように挿入損失が改善し、高速伝送が可能となった原因としては、前記接触部１２２と前記接触部２２２との間の距離が近くなったことが考えられる。
すなわち、前記接触部１２２と前記接触部２２２とが接触する接触点は、ほとんど変わらっていないが、前記接触部１２２に前記湾曲部１２６を設けたことにより、接触点の付近において、前記接触部１２２と前記接触部２２２との間の距離が短くなっている。また、前記湾曲部１２６があることにより、前記湾曲部２２４の変形が小さくなり、前記接触部２２２全体としても、前記接触部１２２に近くなっている。これにより、前記コンタクト１２と、前記コンタクト２２との間の容量性結合が大きくなる。前記容量性結合によって前記コンタクト１２から前記コンタクト２２に信号が伝達されるので、前記接触点を介して伝達される伝達信号が補強され、損失が小さくなる。
【００２１】
前記湾曲部１２６の形状は、前記接触部２２２よりも曲率が小さい滑らかな曲面状に限らず、Ｕ方向に凹んだ他の形状であってもよい。例えば図１３に示すように、二つの斜めの平面部１２７，１２８を滑らかに接続した形状であってもよい。この例において、前記湾曲部１２６は、接触部２２２と二箇所で接触している。これにより、前記接触部１２２が前記接触部２２２に接触する接触点から前記コンタクト１２の先端１２１までの距離が短くなるとともに、前記接触部１２２が前記接触部２２２に接触する接触点から前記コンタクト２２の先端２２１までの距離も短くなるので、挿入損失が小さくなる。
【００２２】
また、前記接触部１２２のうち湾曲部１２６以外の部分の形状も、Ｆ−Ｂ方向に延びる形状に限らず、他の形状であってもよい。例えば図１４に示すように、前記接触部１２２のうち、前記湾曲部１２６よりも先端１２１側の部分を、Ｆ−Ｂ方向と平行ではなく、前記コンタクト２２の前記延伸部２２３に沿って斜め方向に延ばしてもよい。これにより、前記先端１２１と前記コンタクト２２との間の距離が小さくなり、挿入損失が小さくなる。
【００２３】
また、例えば図１５に示すように、前記接触部１２２のうち、前記湾曲部１２６よりも手前側の部分１２９を前記コンタクト２２の前記先端２２１に沿ってＤ方向へ伸ばしてもよい。これにより、前記コンタクト１２と前記先端２２１との間の距離が小さくなり、挿入損失が小さくなる。
【００２４】
また、前記湾曲部１２６を設けず、例えば図１６に示すように、前記接触部１２２よりも先端１２１側の部分をＤ方向へ向けて曲げて、前記コンタクト２２に近づけるだけでもよい。
【００２５】
・実施形態２
図１７を参照すると、コネクタ３０は、以下を備える。
＜絶縁体３１>Ｆ−Ｂ方向に略垂直な略長方形板状である。先端部３１２と、根元部３１３とを有する。前記先端部３１２は、Ｄ方向における先端に位置する。前記根元部３１３は、前記先端部３１２のＵ側に位置し、前記先端部３１２よりも厚さが小さい。前記絶縁体３１のＦ側及びＢ側の表面には、前記先端部３１２から前記根元部３１３にかけてＵ−Ｄ方向に延びる複数の溝部３１１が形成されている。前記先端部３１２は、Ｄ側の端にテーパーを有する。
【００２６】
＜複数のコンタクト３２ａ，３２ｂ＞導電材料で形成され、前記溝部３１１に嵌合して前記絶縁体３１に固定されている。それぞれの前記コンタクト３２ａ，３２ｂは、先端部３２１と、傾斜部３２２と、根元部３２３とを有する。前記先端部３２１及び前記根元部３２３は、Ｕ−Ｄ方向に延びている。前記傾斜部３２２は、前記先端部３２１と前記根元部３２３との間にあり、前記絶縁体３１の形状に沿って斜めに傾斜している。前記先端部３２１は、前記溝部３１１の深さよりも大きい厚さを有し、Ｄ側の端にテーパーを有する。
【００２７】
図１８を参照すると、コネクタ４０は、以下を備える。
＜複数のコンタクト４２ａ，４２ｂ＞板ばねなど変形に対して復元力を発揮する導電材料で形成され、向かい合って配置され、概してＵ−Ｄ方向に沿って延びている。それぞれのコンタクト４２ａ，４２ｂは、先端部４２１と、接触部４２２と、傾斜部４２３と、根元部４２４とを有する。前記根元部４２４は、Ｕ−Ｄ方向に延び、わずかに内側へ向けて傾斜している。前記傾斜部４２３は、前記根元部４２４のＵ側に位置し、内側へ向けて傾斜している。前記接触部４２２は、前記傾斜部４２３のＵ側に位置している。前記先端部４２１は、前記接触部４２２のＵ側に位置し、外側へ向けて傾斜している。
【００２８】
対向する前記コンタクト４２ａ，４２ｂの前記先端部４２１の間の間隔は、前記絶縁体３１の前記先端部３１２の厚さよりも大きい。また、対向する前記コンタクト４２ａ，４２ｂの前記接触部４２２の間の間隔は、前記絶縁体３１の前記根元部３１３の厚さよりも小さい。
【００２９】
前記コネクタ４０に前記コネクタ３０を接続するには、図１９に示すように、対向する前記コンタクト４２ａ，４２ｂの間に、前記絶縁体３１を挿入する。すると、前記先端部３１２に設けられたテーパーが前記コンタクト４２ａ，４２ｂの前記先端部４２１に接触して、前記コンタクト４２ａ，４２ｂの間を押し広げ、前記絶縁体３１の前記先端部３１２が前記コンタクト４２ａ，４２ｂの前記接触部４２２の間に進入して、前記コンタクト３２ａ，３２ｂの前記先端部３２１が前記コンタクト４２ａ，４２ｂの前記接触部４２２に接触する。
前記先端部３１２が前記接触部４２２よりもＤ側に達すると、前記コンタクト４２ａ，４２ｂの復元力により、前記コンタクト４２ａ，４２ｂの間の間隔が狭まり、前記コンタクト４２ａ，４２ｂの前記接触部４２２が前記コンタクト３２ａ，３２ｂの前記根元部３２３に接触して、電気接続される。
【００３０】
このとき、前記コンタクト４２ａ，４２ｂにおいて、前記コンタクト３２ａ，３２ｂに接触するのは、前記接触部４２２だけである。それ以外の部分は、前記コンタクト３２ａ，３２ｂから離れている。これは、前記コンタクト４２ａ，４２ｂの復元力による接触圧力を前記接触部４２２に集中させることにより、接触抵抗を小さくするためである。
前記コンタクト３２ａ，３２ｂの前記先端部３２１は、前記コンタクト４２ａ，４２ｂから離れているものの、前記絶縁体３１の先端部３１２の厚さが厚い分、前記根元部４２４に近くなっている。これにより、前記先端部３２１と前記根元部４２４との間の容量性結合が大きくなり、挿入損失が小さくなる。
【００３１】
前記コンタクト３２ａ，３２ｂの形状は、上述した形状に限らず、他の形状であってもよい。例えば図２０に示すように、前記根元部３２３のＵ側に、外側へ向けて傾斜した傾斜部３２４を設けてもよい。これにより、前記コンタクト４２ａ，４２ｂの前記先端部４２１との間の距離が短くなるので、挿入損失が小さくなる。
図２１に示すように、前記傾斜部３２２と前記傾斜部３２４との間をもっと短くしてもよい。このとき、前記接触部４２２が前記根元部３２３に接触するのではなく、前記傾斜部３２２及び３２４に接触するようにしてもよい。
図２２に示すように、前記絶縁体３１の前記先端部３１２の厚さを厚くせず、前記根元部３１３と同じとし、前記傾斜部３２４を設けるだけでもよい。
【００３２】
以上のように、二つのコンタクトが互いに接触する接触位置の周辺において、二つのコンタクトの形状を互いに沿った形状とすることにより、一方のコンタクトの接触位置よりも先の部分（スタブ）を他方のコンタクトの接触位置よりも根元の部分に近づける。これにより、二つのコンタクトの間の容量性結合が大きくなるので、スタブの長さを変えることなく、コネクタの挿入損失が小さくなり、周波数特性が改善して、高速伝送が可能となる。
上述したように、コネクタの種類は、対面接触型であってもよいし、摺動接触型であってもよい。更に、それ以外の種類のコネクタにも適用可能である。
【００３３】
以上説明した実施形態は、本発明の理解を容易にするための一例である。本発明は、これに限定されるものではなく、添付の特許請求の範囲によって定義される範囲から逸脱することなく様々に修正し、変更し、追加し、又は除去したものを含む。これは、以上の説明から当業者に容易に理解することができる。
【符号の説明】
【００３４】
１０，１０Ｚ，２０，３０，４０  コネクタ、１１，１１Ｚ，２１，３１  絶縁体、１２，２２，３２ａ，３２ｂ，４２ａ，４２ｂ  コンタクト、１４，２４  封止材、２３  パッキン、１１１，３１１  溝部、１１２，２１２  貫通穴、１１３，２１３  封止材収容部、１１４  凹部、１１８，１１９，２１８，２１９  表面、１２１，２２１  先端、１２２，１２２Ｚ，２２２，４２２  接触部、１２３，２２６  屈曲部、１２４，２２７  貫通部、１２５，２２８  接続部、１２６，２２４  湾曲部、１２７，１２８  平面部、１２９  部分、２１１  コンタクト収容部、２１４  パッキン収容部、２１５  枠部、２２３  延伸部、２２５  支持部、３１２，３２１，４２１  先端部、３２２，３２４,４２３  傾斜部、３１３，３２３，４２４  根元部。
【図１】
2020198234.tif 000003
【図２】
2020198234.tif 000004
【図３】
2020198234.tif 000005
【図４】
2020198234.tif 000006
【図５】
2020198234.tif 000007
【図６】
2020198234.tif 000008
【図７】
2020198234.tif 000009
【図８】
2020198234.tif 000010
【図９】
2020198234.tif 000011
【図１０】
2020198234.tif 000012
【図１１】
2020198234.tif 000013
【図１２】
2020198234.tif 000014
【図１３】
2020198234.tif 000015
【図１４】
2020198234.tif 000016
【図１５】
2020198234.tif 000017
【図１６】
2020198234.tif 000018
【図１７】
2020198234.tif 000019
【図１８】
2020198234.tif 000020
【図１９】
2020198234.tif 000021
【図２０】
2020198234.tif 000022
【図２１】
2020198234.tif 000023
【図２２】
2020198234.tif 000024